(57)【要約】【課題】ＭＬＭの生命線である、組織構築を困難にする最大の要因であったディストリビューターのリクルート活動における障害を排除することにより、組織内のディストリビューターが、個々のリクルート能力に関係なく誰でもダウンラインを構築していくことが容易になるＭＬＭにおけるリクルート方法を提供する。【解決手段】ディストリビューター１は、任意の説明手段であるインターネットのホームページ４の存在を告知する手段であるアプローチ用のカード２をリクルート対象者３に手渡す。この簡単な作業により、リクルート活動における障害であった望まぬ人に行う無駄な説明とそれに伴う精神的負担を回避でき、且つ興味を持った人だけをサインアップへと導くことができる。これによって、組織内のディストリビューター誰でもがダウンラインを構築することが容易になる。【選択図】      図１
2006178918.tif 000002
【特許請求の範囲】
【請求項１】
新規参加メンバーをスポンサーするために必要なリクルート能力を備えたインターネットのホームページを任意の説明手段とする。前記ホームページの存在を告知する手段として、前記ホームページへのアプローチとして機能するメッセージを備えたアプローチ用のカードを用いることを特徴とするＭＬＭにおけるリククルート方法。
【請求項２】
任意の説明手段であるインターネットのホームページの存在を告知する手段であるアプローチ用のカードを、携帯に便利で手渡し易い大きさ、または前記大きさに折りたたんだアプローチ用のカードであることを特徴とする請求項１記載のＭＬＭにおけるリクルート方法。
【請求項３】
任意の説明手段であるインターネットのホームページの存在を告知する手段であるアプローチ用のカードの片面を名刺状にしたことを特徴とする請求項１記載のＭＬＭにおけるリクルート方法。
【請求項４】
任意の説明手段であるインターネットのホームページの存在を告知する手段であるアプローチ用のカードの役割を、物品のレッテルに備えることを特徴とする請求項１記載のＭＬＭにおけるリクルート方法。
【発明の詳細な説明】
【発明の詳細な説明】
【技術分野】
【０００１】  本発明は、ＭＬＭすなわちマルチ・レベル・マーケティングにおいてディストリビューターが新規メンバーをスポンサーするためのリクルート方法に関するものである。
【背景技術】
【０００２】  従来のＭＬＭにおけるリクルート方法はディストリビューターが新規メンバーをスポンサーするためにリクルート対象者に行うアプローチ及び説明を個々のディストリビューターのリクルート能力の範囲でセールス説得的な勧誘によって行うものであった。
【発明が解決しようとする課題】
【０００３】  しかしながら、以上の従来技術によれば、アプローチの行い易い親しい友達等がリクルートの対象に選ばれ易くその結果、勧誘に対する拒絶などから人間関係が損なわれる弊害もあった。
また、望まぬ人達にアプローチや説明をする無駄な勧誘努力や、それに伴う精神的負担に耐えられず頓挫するディストリビューターが大半であった。
これがＭＬＭの生命線である組織構築を困難にする最大の要因となっていた。
【０００４】そこで本発明は、このような従来のリクルート方法が有していた問題点を解決しようとするものであり、ディストリビューターのリクルート活動に伴う無駄な労力や精神的負担を回避させ、ディストリビューターの個々の能力差に関係なく誰でも同様なリクルート活動が適切且つ、容易に行えることを可能にして、また本発明をマニュアル化したものを組織内で共同利用することにより個々のディストリビューターが頓挫することなくダウンラインを構築できることを目的とするＭＬＭにおけるリクルート方法を提供することを課題とするものである。
【課題を解決するための手段】
【０００５】  以上の課題を解決するために請求項１の発明は、新規参加メンバーをスポンサーするために必要なリクルート能力を備えたインターネットのホームページを任意の説明手段とする。前記ホームページの存在を告知する手段として前記ホームページへのアプローチとして機能するメッセージを備えたアプローチ用のカードを用いることを特徴とするものである。
【０００６】また、請求項２の発明は任意の説明手段であるインターネットのホームページの存在を告知する手段であるアプローチ用のカードを、携帯に便利で手渡し易い大きさ、または前記大きさに折りたたんだアプローチ用のカードであることを特徴とするものである。
【０００７】  また、請求項３の発明は任意の説明手段であるインターネットのホームページの存在を告知する手段であるアプローチ用のカードの片面を、名刺状にしたことを特徴とするものである。尚、折りたたんだ形状においては、表面部分の片面が名刺状になるものである。
【０００８】  また、請求項４の発明は任意の説明手段であるインターネットのホームページの存在を告知する手段であるアプローチ用のカードの役割を、物品のレッテルに備えることを特徴とするものである。
【０００９】  上記第１の課題解決手段による作用は次の通りである。すなわち、リクルート対象者をスポンサーするための第１関門とも言うべき、勧誘説明の前提となるアプローチが告知手段のアプローチ用のカードを手渡すだけで済むことにより、ディストリビューターの心理的障害が大きく排除されアプローチが誰にでも容易に行えるようになる。また、これにより従来方法では親しい友人等が対象になっていたリクルート活動の範囲を拡大できる。
また、スポンサーするための勧誘説明を、インターネットのホームページが代行することによりディストリビューターの説明能力の格差と、説明に費やす労力をなくすことができる。その上、従来方法のように直接説明する方法ではないのでリクルート活動に伴う、拒絶等の心理的負担を回避でき、且つ告知手段のアプローチ用のカードを配った人の中から紹介するＭＬＭに、関心を持った人とそうでない人を、自動的に取捨することができ関心を持った人のみをサインアップに導く状況を整えることができる。
【００１０】  また、第２の課題解決手段による作用は、告知手段のアプローチ用のカードを携帯に便利で手渡し易い形状にして常に携帯することにより、ディストリビューターがリクルートの機会喪失を防ぐことができる。
【００１１】  また、第３の課題解決手段による作用は、告知手段のアプローチ用のカードに名刺の有する機能を付け加えることにより、前記アプローチ用のカードが心理的に手渡し易くなり、またアプローチ用のカードを配る機会が名刺によって必然的に増える。
【００１２】  また、第４の課題解決手段による作用は、告知手段のアプローチ用のカードの役割を特定した物品のレッテルに持たせることにより、その物品の持つ特性を利用したユニークな前記アプローチ用のカードが工夫でき、リクルート活動に効果的な利用ができる。
【発明を実施するための最良の形態】
【００１３】  以下、本発明の実施の形態を図１〜図３に基づいて説明する。【００１４】  図１と図２の２である、任意の説明手段のインターネットのホームページ４の存在を告知する手段であるアプローチ用のカードは、携帯に便利な形状を最良として、紙を最良の材質とする。また、目的とするものはリクルート対象者３を、前記インターネットのホームページ４に誘導することである。
したがってアプローチ用のカード２を受け取ったリクルート対象者３が、前記インターネットのホームページ４に興味を持つ内容のメッセージを備えるものである。それによってアプローチ用として機能するものである。
また、他の内容として前記インターネットのホームページ４のアドレス、それに加えて紹介者のディストリビューター１を識別できるものが備わっている。
例えば氏名、電話番号、アドレス、ＩＤ番号などである。【００１５】  各図の４である任意の説明手段のインターネットのホームページは、ディストトリビューター１がリクルート対象者３に対して直接に行うべきスポンサーするための説明を、ディストリビューター１に代わって行うものである。
したがって、目的とするものは告知手段のアプローチ用のカードに導かれてアクセスしてきたリクルート対象者３に対して、紹介するＭＬＭに興味を持たせることである。
そのために、リクルート能力を備えた内容で構成されるものである。また、内容の特徴とすべきものは、それ自体がＭＬＭに新規参加者を誘引する作用を有する本発明を、利用できることのメリットを他の説明に加えることである。【００１６】  上記、任意の説明手段のインターネットのホームページ各図４は、単一のものを組織内のディストリビューターが共同利用する形態と、前記インターネットのホームページを分割できるようにして、組織内のディストリビューターが所有して利用する形態がある。【００１７】  次に、上記任意の説明手段であるインターネットのホームページと前記インターネットのホームページの存在を告知する手段であるアプローチ用のカードを用いて行う、ＭＬＭにおけるリクルート方法の第１実施例を図１で説明する。
（イ）ディストリビューター１は、リクルート対象者３に対して告知手段のアプローチ用のカード２を手渡す。
（ロ）ディストリビューター１から受け取った告知手段のアプローチ用のカード２を見て、興味を持ったリクルート対象者３のみが告知手段のアプローチ用のカード２に備わるアドレスに従って説明手段であるインターネットのホームページ４にアクセスしてくる。
（ハ）上記、任意の説明手段であるインターネットのホームページ４を見て、紹介されているＭＬＭに興味を持ったリクルート対象者３は、前記インターネットのホームページ４の案内によって、サインアップへと至るプロセスに誘導されることになる。【００１８】  次に第２実施例を図２で説明する。第１実施例では、ディストリビューターがリクルート対象者に告知手段のアプローチ用のカードを直接手渡す形態であるが第２実施例では、ディストリビューターが告知手段のアプローチ用のカードを、間接的に渡す形態である。
（Ａ）ディストリビューターは、告知手段のアプローチ用のカード２をリクルート対象者３に郵送する。または、電送する。
（Ｂ）ディストリビューターは、告知手段のアプローチ用のカード２を人の集まる場所例えば、本屋、コンビニエンスストアー、喫茶店などに、不特定の人達が自由に持ち帰ることができる形で置いておく。
（Ｃ）次なるプロセスは、上記第１実施例の（ロ）、（ハ）と同様である。【００１９】  次に、図３をもって、上記第１実施例に記載の（ハ）を説明する。
（１）任意の説明手段であるインターネットのホームページ各図４を見て、そこで紹介されているＭＬＭに興味を持ったリクルート対象者３が、直ちに参加することを決意した場合は前記ホームページの案内に従ってサインアップする。尚、この場合は紹介者であるディストリビューター１を介してサインアップする場合とＭＬＭ主催会社５に直接サインアップする場合がある。
（２）また、興味を持ったが疑問点等が残り、更に詳しい説明を望むリクルート対象者３に対しては、絞り込まれた有望な見込みメンバーとして、フォローしてサインアップへと導く。
尚、ここまで絞り込まれたリクルート対象者をフォローすることは容易でありディストリビューターなら誰でもできることではあるが、フォローする適切な仕組みやツールを用いることにより、当（２）プロセスもマニュアル化して効率を上げることができる。
【発明の効果】
【００２０】  以上説明したように、本発明によればＭＬＭのリクルート活動における主な障害が排除され、本発明を組織内で共同利用することによって、従来は不可能に等しかった組織内のディストリビューター誰もが、一定のスポンサーすることが可能になる。
それにより、各ディストリビューターは頓挫することなく傘下組織を構築していくことができる。
したがって、構築された傘下組織から発生する商品の流通により、各ディストリビューターは収入獲得目標を達成できる。
また、ディストリビューターと同様にＭＬＭの主催会社の生産性も大きく改善される。
【００２１】  また、従来に比べて格段に行い易くなったＭＬＭによって、職を持つことの難しかった老人や障害者にも、収入獲得の道がひらかれる。
この様に、本発明は社会に広く収入機会を提供することができる。
【図面の簡単な説明】
【図１】  本発明の第１実施例を示すフローチャート図である。
【図２】  本発明の第２実施例を示すフローチャート図である。
【図３】  本発明の第１、第２実施例に付帯する形態のフローチャート図である。
【符号の説明】
１  ディストリビューター
２  告知手段であるアプローチ用のカード
３  リクルート対象者
４  任意の説明手段であるインターネットのホームページ
５  ＭＬＭの主催会社
【図１】
2006178918.tif 000003
【図２】
2006178918.tif 000004
【図３】
2006178918.tif 000005